(57)【要約】【課題】柱や梁、壁などとして構成されたコンクリートに、その厚さ方向の成分を有する方向に沿って長期にわたりプレストレスを安定して導入する。【解決手段】コンクリート２の内部にその幅方向に沿って挿通されたＰＣ鋼材８の端部８ａに皿ばね１２を介設する。皿ばね１２は、ＰＣ鋼材８のコンクリート２への定着部８ａと、コンクリート２との間に介設され、ＰＣ鋼材８に緊張力を付与してコンクリート２に対してプレストレスを導入する。皿ばね１２の変形量からＰＣ鋼材８の緊張力を簡単に調節することができ、また、コンクリート２にクリープ変形等が発生しても、皿ばね１２が弾性変形して、その変形を吸収するから、コンクリート２に導入されるプレストレスを長期にわたり安定して保持することができる。【選択図】      図１
2005036428.tif 000002
【特許請求の範囲】
【請求項１】
構造物の柱、梁、壁または床として構成されたコンクリートに、壁または床にあってはその厚さ方向の成分を有する方向に沿って、また柱または梁にあってはその材軸直交方向の成分を有する方向に沿って挿通した緊張材によりプレストレスを導入するコンクリートの補強構造において、
前記緊張材の前記コンクリートへの定着部と前記コンクリートとの間に弾性部材を介設したことを特徴とするコンクリートの補強構造。
【請求項２】
前記弾性部材が皿ばねであることを特徴とする請求項１に記載のコンクリートの補強構造。
【請求項３】
前記コンクリートの表面部に当該コンクリートを補強する補強部材が配設され、この補強部材と前記コンクリートとを貫通して前記緊張材が配設されていることを特徴とする請求項１または２に記載のコンクリートの補強構造。
【請求項４】
前記緊張材が前記コンクリートに形成された開口部の周辺部に配設されていることを特徴とする請求項１〜３のいずれか１項に記載のコンクリートの補強構造。
【請求項５】
前記緊張材の前記定着部と前記コンクリートとの間に、球面座金が介設されていることを特徴とする請求項１〜４のいずれか１項に記載のコンクリートの補強構造。
【請求項６】
前記緊張材が可撓性を有する線材により形成されるとともに、前記コンクリートにその内部で屈曲して形成され、両端部が前記コンクリートの同一面に開口する貫通孔を設け、前記貫通孔に前記緊張材を挿通し、前記開口部にて前記緊張材を前記コンクリートに定着したことを特徴とする請求項１〜５のいずれか１項に記載のコンクリートの補強構造。
【請求項７】
前記緊張材が可撓性を有する線材により形成されるとともに、前記コンクリートに、壁または床にあってはその厚さ方向の成分を有する方向に沿って、また柱または梁にあってはその材軸直交方向の成分を有する方向に沿って複数の貫通孔を設け、前記緊張材が、前記コンクリートの一面から一の前記貫通孔を通じて反対側に延出されて当該反対側において折り返されて他の一の前記貫通孔を通じて前記一面側に導出され、前記貫通孔の前記一面側での開口部において定着されていることを特徴とする請求項１〜５のいずれか１項に記載のコンクリートの補強構造。
【請求項８】
構造物の柱、梁、壁または床として構成されたコンクリートに、壁または床にあってはその厚さ方向の成分を有する方向に沿って、また柱または梁にあってはその材軸直交方向の成分を有する方向に沿って配設した緊張材によりプレストレスを導入するコンクリートの補強構造において、
前記コンクリートを挟んでその両側にそれぞれ前記コンクリートを補強する補強部材を配設し、これら両補強部材を貫通して前記緊張材を配設し、
前記緊張材の前記補強部材への定着部と前記補強部材との間に弾性部材を介設したことを特徴とするコンクリートの補強構造。
【請求項９】
構造物の柱、梁、壁または梁として構成されたコンクリートに、壁または床にあってはその厚さ方向の成分を有する方向に沿って、また柱または梁にあってはその材軸直交方向の成分を有する方向に沿って挿通した緊張材によりプレストレスを導入するコンクリートの補強方法において、
前記緊張材の前記コンクリートへの定着部と前記コンクリートとの間に弾性部材を介設することを特徴とするコンクリートの補強方法。
【発明の詳細な説明】
【０００１】
【発明の属する技術分野】
本発明は、構造物の柱、梁、壁または床を形成するコンクリートの補強構造および補強方法に関し、特に、コンクリート内部に緊張材を挿通して当該緊張材に緊張力を付与してコンクリートにプレストレスを導入する補強構造および補強方法に関する。
【０００２】
【従来の技術】
構造物の柱、梁、壁または床を形成するコンクリートの補強方法として、コンクリート内部にＰＣ鋼材等の緊張材を挿通して、この緊張材に緊張力を付与してコンクリートにプレストレスを導入する方法がある（特許文献１や２参照）。緊張材は、コンクリートに貫通して形成された挿通孔に配設され、その両端部はコンクリート外部に突出して、コンクリートの外面部に定着される構造になっている。コンクリートにプレストレスを安定して導入するためには、緊張材に付与される緊張力が長期にわたって安定して保持される必要がある。
【０００３】
【特許文献１】特開２０００−１９２６７２号公報
【０００４】
【特許文献２】特開昭５５−４２９６５号公報
【０００５】
【発明が解決しようとする課題】
しかしながら、このような補強方法にあっては、コンクリートにクリープ変形等の歪みが生じると、緊張材の緊張力が低下し、コンクリートに対してプレストレスを安定して導入できなくなるという問題があった。これは、コンクリートに歪みが生じたことにより、緊張材によるコンクリートへの締め付け力が弱まるためである。緊張材の緊張力が弱まると、プレストレスによる導入軸力が大幅に低減してしまい、十分な補強効果を発揮することはできない。
【０００６】
本発明は、このような事情に鑑みてなされたものであって、その目的は、柱や梁、壁などとして構成されたコンクリートにクリープ変形等の歪みが生じても、緊張材の緊張力を保持することができ、コンクリートに対してプレストレスを長期にわたり安定して導入できるようなコンクリートの補強構造及び補強方法を提供することにある。
【０００７】
【課題を解決するための手段】
このような目的を達成するために本発明に係るコンクリートの補強構造にあっては、構造物の柱、梁、壁または床として構成されたコンクリートに、壁または床にあってはその厚さ方向の成分を有する方向に沿って、また柱または梁にあってはその材軸直交方向の成分を有する方向に沿って挿通した緊張材によりプレストレスを導入するコンクリートの補強構造において、前記緊張材の前記コンクリートへの定着部と前記コンクリートとの間に弾性部材を介設した構成である。
【０００８】
なお、本発明におけるコンクリートとしては、例えば、鉄筋コンクリート（ＲＣ）構造や鉄骨鉄筋コンクリート（ＳＲＣ）構造のコンクリートを含む。
【０００９】
このような補強構造にあっては、緊張材の定着部に弾性部材が介設されていることで、コンクリートにクリープ変形等の歪みが生じても、この歪みを弾性部材により吸収することができる。このため、緊張材の緊張力が弱まるのを防止することができ、したがって、緊張材の緊張力を保持して、コンクリートに導入したプレストレスを長期にわたり安定して維持することができる。
【００１０】
かかる補強構造にあっては、前記弾性部材として皿バネを用いても良い。このように皿バネを用いれば、緊張材への緊張力の管理も容易に行うことができる。
【００１１】
また、かかる補強構造にあっては、前記コンクリートの表面部に当該コンクリートを補強する補強部材が配設され、当該補強部材および前記コンクリートを貫通して前記緊張材が挿通されていても良い。
【００１２】
また、かかる補強構造にあっては、前記緊張材が前記コンクリートに形成された開口部の周辺部に挿通されても良い。
【００１３】
また、かかる補強構造にあっては、前記緊張材の前記定着部と前記コンクリートとの間に、球面座金が介設されていても良い。
【００１４】
また、かかる補強構造にあっては、記緊張材が可撓性を有する線材により形成されるとともに、前記コンクリートにその内部で屈曲して形成され、両端部が前記コンクリートの同一面に開口する貫通孔を設け、前記貫通孔に前記緊張材を挿通し、前記開口部にて前記緊張材を前記コンクリートに定着しても良い。
【００１５】
また、かかる補強構造にあっては、前記緊張材が可撓性を有する線材により形成されるとともに、前記コンクリートに、壁または床にあってはその厚さ方向の成分を有する方向に沿って、また柱または梁にあってはその材軸直交方向の成分を有する方向に沿って複数の貫通孔を設け、前記緊張材が、前記コンクリートの一面から一の前記貫通孔を通じて反対側に延出されて当該反対側において折り返されて他の一の前記貫通孔を通じて前記一面側に導出され、前記貫通孔の前記一面側での開口部において定着されていても良い。
【００１６】
また本発明のコンクリート補強構造にあっては、構造物の柱、梁、壁または床として構成されたコンクリートに、壁または床にあってはその厚さ方向の成分を有する方向に沿って、また柱または梁にあってはその材軸直交方向の成分を有する方向に沿って配設した緊張材によりプレストレスを導入するコンクリートの補強構造において、前記コンクリートを挟んでその両側にそれぞれ前記コンクリートを補強する補強部材を配設し、これら両補強部材を貫通して前記緊張材を配設し、前記緊張材の前記補強部材への定着部と前記補強部材との間に弾性部材を介設した構成とする。
【００１７】
【発明の実施の形態】
以下に本発明の実施の形態について添付図面を用いて説明する。
図１は、本発明に係るコンクリートの補強構造の第１実施形態を示した断面図である。ここでは、本発明に係る補強構造をコンクリート梁２に適用した場合の一例を説明する。なお、ここでは、コンクリート梁２は、例えば、鉄筋コンクリート（ＲＣ）構造や鉄骨鉄筋コンクリート（ＳＲＣ）構造等のコンクリートにより構築される。本実施形態の補強構造は、同図に示すように、コンクリート梁２の内部に、その材軸直交方向（本実施形態では図１に矢印Ａで示す幅方向）に沿って、本発明の緊張材として、ＰＣ鋼材８を挿通して構成される。
【００１８】
ＰＣ鋼材８は、棒体状に成形され、コンクリート梁２の内部の上下に、相互に平行に配置されている。各ＰＣ鋼材８は、コンクリート梁２の内部にその幅方向に沿って貫通して形成された各挿通孔４内にそれぞれ配設されている。各ＰＣ鋼材８の外周部と挿通孔４の内周部との間には、隙間が形成され、当該隙間には、グラウトなどの各種充填材が充填できるようになっている。
【００１９】
ＰＣ鋼材８の両端部８ａ、８ｂは、それぞれコンクリート梁２の外部へ突出し、その一方の端部（図中右端部）８ａには、ナット１４ａと、座金１０ａと、皿ばね１２とが装着され、他方の端部（図中左端部）８ｂには、ナット１４ｂと、座金１０ｂとが装着されている。皿ばね１２は、本発明の弾性部材として、ナット１４ａと座金１０ａとの間に介設されている。座金１０ａ、１０ｂは、コンクリート梁２の左右両側面部に配設された鋼板６に密着している。
【００２０】
各ＰＣ鋼材８には、コンクリート梁２に対してプレストレスを導入するために、緊張力が付与されている。緊張力の付与は、ナット１４ａ、１４ｂの締め付けにより行われている。緊張力は、ナット１４ａ、１４ｂの締め付け具合によって調節され、コンクリート梁２には、適切なプレストレスを導入することができるようになっている。
【００２１】
また、本実施形態では、ナット１４ａと座金１０ａとの間に、皿ばね１２が介設されているため、皿ばね１２の変形量からＰＣ鋼材８に付与される緊張力を簡単に調節することができる。これにより、コンクリート梁２に導入するプレストレスの管理を容易に行うことができ、施工性や品質の向上を大幅に図ることができる。
【００２２】
また、コンクリート梁２にクリープ変形等により歪みが発生したときには、皿ばね１２が弾性変形して、その歪みを吸収することができる。このため、ＰＣ鋼材８に付与される緊張力も保持され、コンクリート梁２に導入されたプレストレスを長期にわたり安定した状態に保持することができる。
【００２３】
また、皿ばね１２については、その荷重特性から、たわみ量が変化しても、弾発力の変動が小さい領域に設定するのが好ましい。つまり、皿ばね１２が、例えば、図２に示すような荷重特定を有する場合、同図に示す、皿ばね１２のたわみ量Ｔの変化に対して弾性力Ｐの変動が小さい領域、即ち領域Ｘの範囲内に設定するのが好ましい。
【００２４】
なお、この実施形態では、皿ばね１２はコンクリート梁２の片側側面部にのみ設けられていたが、本発明にあってはこれに限らず、コンクリート梁２の両側面部にそれぞれ設けられていても良い。
【００２５】
図３は、本発明に係るコンクリートの補強構造の第２実施形態を示した断面図である。ここでは、補強部材２０が設置されたコンクリート梁２に、本発明に係る補強構造を適用した場合の一例を説明する。この補強構造では、同図に示すように、コンクリート梁２の片側側面部（図中右側面部）に、補強部材２０が接合されている。そして、コンクリート梁２及び補強部材２０を貫通してＰＣ鋼材８を挿通し、当該ＰＣ鋼材８に緊張力を付与してコンクリート梁２にプレストレスを導入する構成になっている。補強部材２０は、例えば耐震補強などを目的として設置される部材であり、プレキャストコンクリート製部材（ＰＣ製部材）や鉄骨材などにより構成されたコンクリート製フレームまたは鉄骨製フレームなどにより形成される。
【００２６】
ＰＣ鋼材８は、第１実施形態の場合と同様、コンクリート梁２の内部にその幅方向（図中矢印Ａの方向）に沿って、コンクリート梁２及び耐震補強部材２０を貫通して形成された挿通孔４、２２に挿通され、その両端部８ａ、８ｂは、コンクリート梁２及び補強部材２０の外部に突出している。ＰＣ鋼材８の一方の端部（図中右端部）８ａには、座金１０ａと、皿ばね１２と、ナット１４ａとが装着され、他方の端部（図中左端部）８ｂには、座金１０ｂとナット１４ｂとが装着されている。皿ばね１２は、第１実施形態と同様に、座金１０ａとナット１４ａとの間に介設され、また、座金１０ａ、１０ｂは、コンクリート梁２の左右両側面部に配設された鋼板６に密着している。
【００２７】
各ＰＣ鋼材８には、コンクリート梁２に対してプレストレスを導入すべく、ナット１４ａ、１４ｂにより緊張力が付与されている。ここでも、前述した第１実施形態と同様に、皿ばね１２の変形量からＰＣ鋼材８に付与される緊張力を簡単に調節することができる。これにより、コンクリート梁２に導入するプレストレスの管理を容易に行うことができ、したがって、施工性や品質の向上を大幅に図ることができる。
【００２８】
また、コンクリート梁２にクリープ変形等により歪みが発生したときには、皿ばね１２が弾性変形して、その歪みを吸収することができることため、ＰＣ鋼材８に付与される緊張力も保持することができ、コンクリート梁２に導入されたプレストレスを長期にわたり安定した状態に保持することができる。
【００２９】
さらに、このようにクリープ変形等の歪みを吸収することができるから、コンクリート梁２と補強部材２０との間の接合性を確保することができ、コンクリート梁２と補強部材２０との間で長期にわたり一体性を保持することができる。
【００３０】
なお、補強部材２０については、図４に示すように、コンクリート梁２を両側から挟み込むようにその両側部にそれぞれ配設しても良い。この場合、同図に示すように、ＰＣ鋼材８は、必ずしもコンクリート梁２の内部に挿通されている必要はなく、コンクリート梁２の外部に（ここでは上下両側部に）配設されていても良い。
【００３１】
図５及び図６は、本発明に係るコンクリートの補強構造の第３実施形態を示した断面図及び正面図である。ここでは、本発明に係る補強構造を、コンクリート梁２に貫通して設けられた開口部２４の補強に適用した場合の一例について説明する。この補強構造は、図５及び図６に示すように、コンクリート梁２に貫通して形成された開口部２４の周囲に、コンクリート梁２の内部にこれを貫通するようにＰＣ鋼材８を挿通した構造である。
【００３２】
開口部２４は、配管などを挿通するために形成された孔部であり、ここでは、図５に示すように、コンクリート梁２の幅方向（図中矢印Ａ方向）、即ちコンクリート梁２の長手方向（紙面垂直方向）に対して直角に交差する方向に沿って形成されている。開口部２４の周縁部には、コンクリート梁２の左右両側面部にそれぞれ、図６に示すように、環状の鋼板６が配設されている。
【００３３】
ＰＣ鋼材８は、図５に示すように、コンクリート梁２の開口部２４の周辺部に当該開口部２４とほぼ平行に貫通形成された挿通孔４に挿通され、図６に示すように、開口部２４の周辺部に沿って相互に間隔をあけて複数本配置されている。ＰＣ鋼材８の両端部は、それぞれコンクリート梁２の外部に突出しており、その一方の端部（図５中右端部）８ａには、座金１０ａと、皿ばね１２と、ナット１４ａとが装着され、他方の端部（図５中左端部）８ｂには、座金１０ｂとナット１４ｂとが装着されている。座金１０ａ、１０ｂは鋼板６に密着されている。
【００３４】
各ＰＣ鋼材８には、ナット１４ａ、１４ｂにより緊張力が付与され、コンクリート梁２にはプレストレスが導入されている。ここでも、前述した実施形態と同様に、皿ばね１２の変形量からＰＣ鋼材８に付与される緊張力を簡単に調節することができる。また、コンクリート梁２にクリープ変形等により歪みが発生したときには、皿ばね１２が弾性変形して、その歪みを吸収することができるから、ＰＣ鋼材８に付与される緊張力も保持することができ、コンクリート梁２に導入したプレストレスを長期にわたり安定した状態で保持することができる。
【００３５】
さらにここでは、皿ばねの弾性力により鋼板６をコンクリート梁２の側面部に圧着させることができるから、鋼板６の拘束によってコンクリート梁２の開口部２４の周辺部にひび割れが発生または進展するのを抑制することができる。また、鋼板６とコンクリート梁２との間の摩擦力が増大し、鋼板６による補強効果も大幅にアップする。
【００３６】
なお、鋼板６については、必ずしも、図６に示すような環状に形成されている必要はない。図７は、コンクリート梁２の左右両側の開口部２４の周縁部に配設される鋼板６の他の実施形態を示したものである。同図に示すように、鋼板６は、例えば長方形状等の矩形状に成形されていても良い。この場合、ＰＣ鋼材８は、同図に示すように、鋼板６の隅角部に配設されても良い。
【００３７】
図８は、ＰＣ鋼材８の他の定着構造の一例を示したものである。この定着構造では、ＰＣ鋼材８の一方の端部８ａ側の座金１０ａとコンクリート梁２との間に、球面座金３０を介設している。このような球面座金３０を介設することで、ＰＣ鋼材８が挿通孔４内において若干傾いて配置されたとしても、ＰＣ鋼材８の緊張力をコンクリート梁２に対しスムーズに伝達することができ、これにより、ＰＣ鋼材８とコンクリート面の直交性などに対する施工誤差を吸収することができる。
【００３８】
図９に示すように、このような球面座金３０をコンクリート梁２の両側に用いることで、ＰＣ鋼材８がコンクリート梁２の内部に斜めに配設されたとしても、ＰＣ鋼材８の緊張力をコンクリート梁２に対しスムーズに伝達することができる。
【００３９】
図１０は、本発明に係るコンクリートの補強構造の他の補強例を示したものである。この補強構造では、緊張材として、例えば炭素繊維ストランドをはじめとする高強度ワイヤーや、その他、可撓性を有する高強度の線材４２を使用し、この線材４２を同図に示すように折り曲げてコンクリート壁４０に挿通している。
【００４０】
ここでは、コンクリート壁４０内に、線材４２が挿通される挿通孔４４が、コンクリート壁４０の厚さ方向に沿って上下に２本貫通して形成されている。線材４２は、一方の挿通孔４４からコンクリート壁４０の裏側部４０ｂへと挿通され、その裏側部４０ｂにおいて折り曲げられて、他方の挿通孔４４を通じてコンクリート壁４０の表側部４０ａへと挿通されている。これにより、線材４２の両端部４２ａ、４２ｂを、コンクリート壁４０の表側部４０ａに突出させることができるので、コンクリート壁２の片側部にのみ定着部を設けることができる。すなわち、線材４２の定着作業や緊張力の調節作業を表側部４０ａのみで行うことができるので、例えば、裏側部４０ｂへ手が届き難いようなときにも良好な施工性やメンテナンス性を確保することができる。また、コンクリート壁４０の片側に定着部を設けたくない場合にも有効である。
【００４１】
なお、ここでは、線材４２の端部４２ａ、４２ｂをコンクリート壁４０に定着するための定着具として、前述した実施形態で使用したナット１６に代えて、くさび形の係合構造を有する定着具４６を使用している。
【００４２】
図１１は、このような線材４２を緊張材として用いた場合における他の補強例を示したものである。ここでは、コンクリート壁４０内に、同図に示すようにコンクリート壁４０の内部で屈曲したＶ字形の挿通孔５０を形成し、この挿通孔５０内に線材４２を差し込んで、コンクリート壁４０の内部において線材４２を折り曲げて挿通している。このため、図１０の場合と同様に、線材４２をコンクリート壁４０の裏側部４０ｂに導出しなくても、線材４２の両端部４２ａ、４２ｂをコンクリート壁４０の表側部４０ａに突出させることができる。このように、コンクリート壁２の片側部にのみ定着部を設けることができるので、線材４２の定着作業や緊張力の調節作業を表側部４０ａのみで行うことができる。これにより、例えば、裏側部４０ｂへ手が届き難いようなときにも良好な施工性やメンテナンス性を確保することができる。また、コンクリート壁４０の片側に定着部を設けたくない場合にも有効である。
【００４３】
また、このように緊張材としての線材４２が、コンクリートの厚さ方向以外の方向、即ちここでは厚さ方向に対して斜めの方向に沿って挿通されていても良い。
【００４４】
なお、ここでは、線材４２の端部４２ａ、４２ｂがコンクリート壁４０から斜めに突出されていることから、コンクリート壁４０と皿ばね１２との間に断面三角形状のワッシャ５２を介設して、線材４２の端部４２ａ、４２ｂに装着された皿ばね１２からの荷重を線材４２にスムーズに伝達されるように構成している。
【００４５】
また、ここでは、挿通孔５０がＶ字形に形成されていたが、本発明にあってはこれに限らず、コンクリートの内部で他の形で屈曲されていても良い。
【００４６】
また、前述した実施の形態では、本発明に係る補強構造をコンクリート梁２に適用した場合の例について説明したが、本発明にあっては、このようなコンクリート梁２に適用される場合に限らず、コンクリート壁やコンクリート床、コンクリート柱など、各種コンクリート構造部に適用することができる。
【００４７】
また、前述した実施の形態では、本発明の弾性部材として皿ばね１２を用いていたが、本発明の弾性部材は、このような皿ばね１２に限らず、緊張材に対して緊張力を付与することができれば、どのような弾性部材であっても構わない。
【００４８】
また、前述した実施の形態では、本発明の緊張材として、ＰＣ鋼材８と線材４２とを用いる場合について示したが、本発明にあってはこのような場合に限らず、コンクリートにプレストレスを導入することができれば、どのような緊張材を用いても構わない。
【００４９】
また、前述した実施の形態では、緊張材（ＰＣ鋼材８）が挿通される方向として、コンクリートの幅方向や斜めの方向などが挙げられていたが、本発明にあってはこれらの方向に限らず、壁または床にあってはその厚さ方向の成分を有する方向に沿って、また柱または梁にあってはその材軸直交方向の成分を有する方向に沿って配設されれば、どのような方向に沿って配設されても良い。例えば、柱や梁の場合には、その長さ方向以外の方向、具体的には断面縦方向や断面横方向などであっても構わない。また、壁の場合には、壁面と平行な方向以外の方向、例えば面外方向や厚さ方向などであっても構わない。
【００５０】
また、本発明にかかる補強構造にあっては、新設するコンクリート構造物に適用することができるのはもちろん、既存のコンクリート構造物にも好適に適用することができる。
【００５１】
【発明の効果】
本発明によれば、コンクリートにクリープ変形等の歪みが生じても、緊張材の緊張力を保持して、コンクリートに導入されるプレストレスを長期間にわたり安定して確保することができる。
【図面の簡単な説明】
【図１】本発明に係るコンクリートの補強構造の第１実施形態を示した断面図である。
【図２】本発明の弾性部材の荷重特定の一例を示したグラフである。
【図３】本発明に係るコンクリートの補強構造の第２実施形態を示した断面図である。
【図４】本発明に係るコンクリートの補強構造の第２実施形態の変形例を示した断面図である。
【図５】本発明に係るコンクリートの補強構造の第３実施形態を示した断面図である。
【図６】本発明に係るコンクリートの補強構造の第３実施形態を示した正面図である。
【図７】図６に示す鋼板の他の実施形態を示した正面図である。
【図８】本発明に係るコンクリートの補強構造の他の定着構造を示した断面図である。
【図９】本発明に係るコンクリートの補強構造の他の定着構造を示した断面図である。
【図１０】本発明に係るコンクリートの補強構造の他の補強例を示した断面図である。
【図１１】本発明に係るコンクリートの補強構造の他の補強例を示した断面図である。
【符号の説明】
２  コンクリート梁                ４  貫通孔
６  鋼板                          ８  ＰＣ鋼棒
１０ａ、１０ｂ  座金              １２  皿バネ
１４ａ、１４ｂ  ナット            １６  ナット
２０  補強部材                    ２２  挿通孔
２４  開口部                      ３０  球面座金
４０  コンクリート壁              ４２  線材
４４  挿通孔                      ４６  定着具
５０  挿通孔                      ５２  ワッシャ
【図１】
2005036428.tif 000003
【図２】
2005036428.tif 000004
【図３】
2005036428.tif 000005
【図４】
2005036428.tif 000006
【図５】
2005036428.tif 000007
【図６】
2005036428.tif 000008
【図７】
2005036428.tif 000009
【図８】
2005036428.tif 000010
【図９】
2005036428.tif 000011
【図１０】
2005036428.tif 000012
【図１１】
2005036428.tif 000013